(57)【要約】      （修正有）【課題】  フロントパネルをシャーシから取り外す際に、手間がかからず、開発の際の検討やサービスパーツの交換作業をスムーズに行うことができる。【解決手段】  シャーシ４の左右いずれかの側の係入孔５Ａ、５Ｂを前後２箇所設け、フロントパネル１の左右いずれかの側の係止爪３Ａを若干小さく形成し、フロントパネル１をシャーシ４から取り外すにはフロントパネル１の左右いずれかの側の係止爪３Ａをシャーシ４の左右いずれかの側の奥側の係入孔５Ｂからフロントパネル側の係入孔５Ａに入れ替えて係止し、この状態でフロントパネル１の他の複数の係止爪３をシャーシ４の他の複数の係入孔５から取り外し、その後にシャーシ４のフロントパネル側の係入孔５Ａからフロントパネル１の係止爪３Ａを取り外すことによって、フロントパネル１をシャーシ４から取り外すように構成した。【選択図】  図２
2007059453.tif 000002
【特許請求の範囲】
【請求項１】
フロントパネルにおけるシャーシとの接続部分に複数の係止爪が設けられ、前記シャーシにおける前記フロントパネルの複数の係止爪と対応する部分に複数の係入孔が穿設されており、前記フロントパネルを前記シャーシに取り付ける際に、前記フロントパネルの複数の係止爪を前記シャーシの複数の係入孔に係入係止し、前記フロントパネルを前記シャーシから取り外す場合には、前記フロントパネルの複数の係止爪を前記シャーシの係入孔から外すようにしたフロントパネルとシャーシの取付取外し構造において、前記シャーシの左右いずれかの側の係入孔を前後２箇所設け、前記フロントパネルの左右いずれかの側の係止爪を若干小さく形成し、前記フロントパネルを前記シャーシから取り外す際には、前記フロントパネルの左右いずれかの側の係止爪を前記シャーシの左右いずれかの側の前後２箇所の係入孔の内、奥側の係入孔から前記フロントパネル側の係入孔に入れ替えて係止し、この状態でフロントパネルの他の複数の係止爪を前記シャーシの他の複数の係入孔から取り外し、その後に前記シャーシのフロントパネル側の係入孔から前記フロントパネルの前記係止爪を取り外すことによって、前記フロントパネルを前記シャーシから取り外すように構成したことを特徴とするフロントパネルとシャーシとの取付取外し構造。
【請求項２】
筐体の前壁におけるシャーシとの接続部分に複数の係止爪が設けられ、前記シャーシにおける前記筐体の前壁の複数の係止爪と対応する部分に複数の係入孔が穿設されており、前記筐体を前記シャーシに取り付ける際に、前記筐体の前壁の複数の係止爪を前記シャーシの複数の係入孔に係入係止し、前記筐体を前記シャーシから取り外す場合には、前記筐体の前壁の複数の係止爪を前記シャーシの係入孔から外すようにした筐体とシャーシの取付取外し構造において、前記シャーシの左右いずれかの側の係入孔を前後２箇所設け、、前記筐体を前記シャーシから取り外す際には、前記筐体の前壁の左右いずれかの側の係止爪を前記シャーシの左右いずれかの側の前後２箇所の係入孔の内、奥側の係入孔から前記筐体の前壁側の係入孔に入れ替えて係止し、この状態で筐体の前壁の他の複数の係止爪を前記シャーシの他の複数の係入孔から取り外し、その後に前記シャーシの筐体の前壁側の係入孔から前記筐体の前壁の前記係止爪を取り外すことによって、前記筐体を前記シャーシから取り外すように構成したことを特徴とする筐体とシャーシとの取付取外し構造。
【発明の詳細な説明】
【技術分野】
【０００１】
本発明は、フロントパネル又は筐体の前壁におけるシャーシとの接続部分に設けられた複数の係止爪を、前記シャーシにおける前記フロントパネル又は筐体の前壁の複数の係止爪と対応する部分に穿設された複数の係入孔に係入係止して、前記フロントパネル又は筐体を前記シャーシに取り付け、前記フロントパネル又は筐体の前壁の複数の係止爪を前記シャーシの係入孔から取り外して、前記フロントパネル又は筐体をシャーシから取り外すようにしたフロントパネルとシャーシの取付取外し構造及び筐体とシャーシの取付取外し構造に関するものである。
【背景技術】
【０００２】
従来のフロントパネルとシャーシの取付取外し構造は、例えば、図３、図４（ａ）（ｂ）に示すように、フロントパネル１０１の周囲に複数の接続部１０２が後側に向けて突出形成され、この接続部１０２に係止爪１０３が設けらている。シャーシ１０４にはフロントパネル１０１の複数の係止爪１０３に対応する接続部分に係入孔１０５が設けられている。これらの係止爪１０３はフロントパネル１０１をシャーシ１０４に取り付ける際にシャーシ１０４の係入孔１０５に係入係止される。フロントパネル１０１をシャーシ１０４から取外し際には、フロントパネル１０１の左側の係止爪１０３をシャーシ１０４の係入孔１０５から取り外してから、他の複数の係止爪１０３を係入孔１０５から取り外すようにしていた。
【０００３】
ところが、他の係止爪１０３を係入孔１０５から取り外す間に、フロントパネル１０１の左側の係止爪１０３が再びシャーシ１０４の係入孔１０５に係入係止されてしまい、元に戻って最初から係止爪１０３を係入孔１０５から取り外さなくてはならず、手間がかかり面倒な取り外し作業となってしまうという問題があった。
【０００４】
第１の従来技術を図５、図６に示す。この従来のパネル固定構造は、図５、図６に示すように、本体２２０に装着される外装材２３０の同本体２２０側における所定位置にパネル２１０を固定する際、本体２２０に外装材２３０側に向けて設けられるとともにパネル２１０の縁部を支持して仮止めする仮止め部材２２１、２２２、２２３を形成し、外装材２３０とパネル２１０との間に同パネル２１０が固定される係合機構を形成した。外装材２３０が装着されていない状態でパネル２１０を本体２２０に形成された仮止め部材で仮止めし、その後外装材２３０を本体２２０に装着して装材２３０とパネル２１０との間に形成された係合機構で仮止めされたパネル２１０を固定することで、パネル２１０を外装材２３０の本体２２０側における所定位置に固定する作業を行うことができるものである。（例えば、特許文献１参照）。
【０００５】
ところが、これにおいては、構造が複雑であり、固定作業が面倒であるという問題があった。
【０００６】
第２の従来技術を図７、図８、図９に示す。この従来の操作部着脱装置は、図７、図８、図９に示すように、操作部３０２の左側縁部には突起舌部３０４が、右側縁部にはロック穴３０５が設けられている。操作部３０２を収納する収容部３０３の左側縁部には係合穴３０６が、右側縁部にはロック片３０７が設けられている。本体ケース３０１にはロック穴３０５とロック片３０７との係合を解除するロックリリース機構３０９が配設されている。収容部３０３には操作部３０２を常に外方に付勢する本体側ソケット３１０が設けられている。操作部３０２の下側縁部には係止用突起３１２が設けられている。係合凹部３１１及び係止用突起３１２は係合により、外方に付勢された操作部３０２の右半分が収容部３０３より飛び出した位置に配設されるようになっている。（例えば、特許文献２参照）。
【０００７】
ところが、これにおいては、操作部３０２の右半分を収容部３０３より飛び出した位置に配設する構造であって、本体ケース３０１を取り外す構造ではなかった。
【特許文献１】特開２００２−９４２４８号公報
【特許文献２】特開平６−１７６６５２号公報
【発明の開示】
【発明が解決しようとする課題】
【０００８】
本発明は、上記従来技術の問題に鑑みてなされたものであって、フロントパネルをシャーシから取り外す際に、手間がかからず、開発の際の検討やサービスパーツの交換作業をスムーズに行うことができるフロントパネルとシャーシとの取付取外し構造及び筐体とシャーシの取付取外し構造を提供することを目的としている。
【課題を解決するための手段】
【０００９】
本発明は、上記課題を解決するために提案されたものであって、請求項１に記載の発明は、フロントパネルにおけるシャーシとの接続部分に複数の係止爪が設けられ、前記シャーシにおける前記フロントパネルの複数の係止爪と対応する部分に複数の係入孔が穿設されており、前記フロントパネルを前記シャーシに取り付ける際に、前記フロントパネルの複数の係止爪を前記シャーシの複数の係入孔に係入係止し、前記フロントパネルを前記シャーシから取り外す場合には、前記フロントパネルの複数の係止爪を前記シャーシの係入孔から外すようにしたフロントパネルとシャーシの取付取外し構造において、前記シャーシの左右いずれかの側の係入孔を前後２箇所設け、前記フロントパネルの左右いずれかの側の係止爪を若干小さく形成し、前記フロントパネルを前記シャーシから取り外す際には、前記フロントパネルの左右いずれかの側の係止爪を前記シャーシの左右いずれかの側の前後２箇所の係入孔の内、奥側の係入孔から前記フロントパネル側の係入孔に入れ替えて係止し、この状態でフロントパネルの他の複数の係止爪を前記シャーシの他の複数の係入孔から取り外し、その後に前記シャーシのフロントパネル側の係入孔から前記フロントパネルの前記係止爪を取り外すことによって、前記フロントパネルを前記シャーシから取り外すように構成したことを特徴としている。
【００１０】
請求項２に記載の発明は、筐体の前壁におけるシャーシとの接続部分に複数の係止爪が設けられ、前記シャーシにおける前記筐体の前壁の複数の係止爪と対応する部分に複数の係入孔が穿設されており、前記筐体を前記シャーシに取り付ける際に、前記筐体の前壁の複数の係止爪を前記シャーシの複数の係入孔に係入係止し、前記筐体を前記シャーシから取り外す場合には、前記筐体の前壁の複数の係止爪を前記シャーシの係入孔から外すようにした筐体とシャーシの取付取外し構造において、前記シャーシの左右いずれかの側の係入孔を前後２箇所設け、前記筐体を前記シャーシから取り外す際には、前記筐体の前壁の左右いずれかの側の係止爪を前記シャーシの左右いずれかの側の前後２箇所の係入孔の内、奥側の係入孔から前記筐体の前壁側の係入孔に入れ替えて係止し、この状態で筐体の前壁の他の複数の係止爪を前記シャーシの他の複数の係入孔から取り外し、その後に前記シャーシの筐体の前壁側の係入孔から前記筐体の前壁の前記係止爪を取り外すことによって、前記筐体を前記シャーシから取り外すように構成したことを特徴としている。
【発明の効果】
【００１１】
請求項１に記載の発明によれば、フロントパネルをシャーシから取り外す際に、シャーシの前後２箇所の係入孔の内、奥側の係入孔からフロントパネル側の係入孔に一時的に入れ替えて係止するから、フロントパネルの他の係止爪を取り外すときに、シャーシの奥側の係入孔に係止爪が戻ることがなく、ひととおり他の係止爪を取り外した後に最後にシャーシのフロントパネル側の係入孔から係止爪を取り外すとスムーズにフロントパネルをシャーシから取り外すことができる。このことにより、フロントパネルをシャーシから取り外す際に、手間がかからず、開発の際の検討やサービスパーツの交換作業をスムーズに行うことができる。また、シャーシの左右いずれかの側の係止爪を若干小さく形成しているから、この係止爪のシャーシの前後２箇所の係入孔への入れ替えを容易に行うことができ、取り外し作業の能率を高めることができる。
【００１２】
請求項２に記載の発明によれば、筐体をシャーシから取り外す際に、シャーシの前後２箇所の係入孔の内、奥側の係入孔から筐体の前壁側の係入孔に一時的に入れ替えて係止するから、筐体の前壁の他の係止爪を取り外すときに、シャーシの奥側の係入孔に係止爪が戻ることがなく、ひととおり他の係止爪を取り外した後に最後にシャーシの筐体前壁側の係入孔から係止爪を取り外すとスムーズに筐体をシャーシから取り外すことができる。このことにより、筐体をシャーシから取り外す際に、手間がかからず、開発の際の検討やサービスパーツの交換作業をスムーズに行うことができる。
【発明を実施するための最良の形態】
【００１３】
以下、本発明に係るフロントパネルとシャーシの取付取外し構造及び筐体とシャーシの取付取外し構造の実施の形態について、図を参照しつつ説明する。
【００１４】
図１は本発明のフロントパネルとシャーシの取付取外し構造におけるフロントパネルをシャーシに取り付けた状態を示す部分斜視図、図２はフロントパネルをシャーシに取付取外しする際の状態を示し、（ａ）はフロントパネルをシャーシに取り付けるときの最初の状態を示す要部の平面断面図、（ｂ）は（ａ）の状態の縦断面図、（ｃ）はフロントパネルをシャーシに取付完了したときの要部の平面断面図、（ｄ）は（ｃ）の状態の縦断面図である。
【００１５】
本実施形態のフロントパネルとシャーシの取付取外し構造は、図１、図２（ａ）（ｂ）（ｃ）（ｄ）に示すように、フロントパネル１の周囲の複数の接続部２に係止爪３が突出形成され、シャーシ４の周囲におけるフロントパネル１の複数の係止爪３に対応する部分に係入孔５が穿設されている。また、シャーシ４の左側の接続部分には前後２箇所の係入孔５Ａ、５Ｂが穿設され、フロントパネル１の左側の接続部２Ａには若干小さい係止爪３Ａが突出形成されている。
【００１６】
図２（ａ）（ｂ）に示すように、フロントパネル１をシャーシ４に取り付ける際には、フロントパネル１の左側の係止爪３Ａがシャーシ４のフロントパネル１側の係入孔５Ａにまず係入され、更にフロントパネル１を押し付けると図２（ｃ）（ｄ）に示すように、係止爪３Ａがシャーシ４の奥部側の係入孔５Ｂに入れ替えられて係入係止される。また、フロントパネル１をシャーシ４から取り外すには、図２（ｃ）（ｄ）に示す状態から、図２（ａ）（ｂ）に示すように、フロントパネル１の左側の係止爪３Ａをシャーシ４の左側のフロントパネル１側の係入孔５Ａに係入されてフロントパネル１の左側がシャーシ４から若干浮いた状態となる。この状態で、他の係止爪３を係入孔５から取り外すと、左側の係止爪３Ａがもとの状態に戻ることがなく、その後に左側の係止爪３Ａをフロントパネル1側の係入孔５Ａから取り外すことによって、フロントパネル１がシャーシ４から取り外される。
【００１７】
本実施形態によれば、フロントパネル１をシャーシ４から取り外す際に、シャーシ４の前後２箇所の係入孔５Ａ、５Ｂの内、奥側の係入孔５Ｂからフロントパネル側の係入孔５Ａに係止爪３Ａを一時的に入れ替えて係止するから、フロントパネル１の他の係止爪３を取り外すときに、シャーシ４の奥側の係入孔５Ｂに係止爪３Ａが戻ることがなく、ひととおり他の係止爪３を取り外した後に最後にシャーシ４のフロントパネル１側の係入孔５Ａから係止爪３Ａを取り外すとスムーズにフロントパネル１をシャーシ４から取り外すことができる。このことにより、フロントパネル１をシャーシ４から取り外す際に、手間がかからず、開発の際の検討やサービスパーツの交換作業をスムーズに行うことができる。また、シャーシ１の左側の係止爪３Ａを若干小さく形成しているから、この係止爪３Ａのシャーシ４の前後２箇所の係入孔５Ａ、５Ｂへの入れ替えを容易に行うことができ、取り外し作業の能率を高めることができる。
【００１８】
尚、本実施形態では、フロントパネル１とシャーシ４の左側について説明したが、フロントパネル１とシャーシ４の右側に係止爪３Ａと係入孔５Ａ、５Ｂを設けてもよいことは勿論である。また、本実施形態では、フロントパネル１とシャーシ４の取付取外し構造について説明したが、フロントパネル１に限らず、筐体とシャーシの取付取外し構造についても適用できるものである。
【図面の簡単な説明】
【００１９】
【図１】本発明のフロントパネルとシャーシの取付取外し構造におけるフロントパネルをシャーシに取り付けた状態を示す部分斜視図である。
【図２】フロントパネルをシャーシに取付取外しする際の状態を示し、（ａ）はフロントパネルをシャーシに取り付けるときの最初の状態を示す要部の平面断面図、（ｂ）は（ａ）の状態の縦断面図、（ｃ）はフロントパネルをシャーシに取付完了したときの要部の平面断面図、（ｄ）は（ｃ）の状態の縦断面図である。
【図３】従来のフロントパネルとシャーシの取付取外し構造におけるフロントパネルをシャーシに取り付けた状態を示す部分斜視図である。
【図４】同構造における左側の係止爪が左側の係入孔に係入係止された状態を示し、（ａ）はその平面断面図、（ｂ）はその縦断面図である。
【図５】従来のパネル固定構造の分解斜視図である。
【図６】同構造の部分組み立て時の斜視図である。
【図７】従来の操作部着脱装置を示す分解斜視図である。
【図８】同装置における組み付け完了時の斜視図である。
【図９】同装置における操作部の右半分が収容部より飛び出した位置で停止された状態の平面断面図である。
【符号の説明】
【００２０】
１      フロントパネル
２      接続部
２Ａ    左側の接続部
３      係止爪
３Ａ    小さい係止爪
４      シャーシ
５      係入孔
５Ａ    フロントパネル側の係入孔
５Ｂ    奥側の係入孔
【図１】
2007059453.tif 000003
【図２】
2007059453.tif 000004
【図３】
2007059453.tif 000005
【図４】
2007059453.tif 000006
【図５】
2007059453.tif 000007
【図６】
2007059453.tif 000008
【図７】
2007059453.tif 000009
【図８】
2007059453.tif 000010
【図９】
2007059453.tif 000011